(57)【特許請求の範囲】
【請求項１】
目地を介して並設された複数の外壁材と、
前記目地の屋内側の端部を閉塞するように設けられたシール材と、
前記目地の屋外側の端部と前記シール材との間に設けられ、大気に連通する等圧空間と
を備え、
前記目地の屋外側の端部は、該目地の両側の前記外壁材が突き付けられ、または、乾式の目地材が設けられており、
前記複数の外壁材として、雄実部を有する第一パネルと、この第一パネルの前記雄実部に凹凸嵌合する雌実部を有する第二パネルとを有し、
前記等圧空間は前記雄実部と前記雌実部とで構成され、
前記雄実部および前記雌実部の少なくとも一方には、前記等圧空間を形成する凹部が設けられている
ことを特徴とする外壁の目地構造。
【請求項２】
前記シール材は、前記目地の屋内側の端部の間隔を保つように構成されている
ことを特徴とする請求項１記載の外壁の目地構造。
【請求項３】
前記複数の外壁材は、縦張り施工された外壁材である
ことを特徴とする請求項１または請求項２記載の外壁の目地構造。
【請求項４】
前記等圧空間と前記目地の屋外側の端部との間には、前記目地の間隔を保つ間隔保持材が設けられている
ことを特徴とする請求項３記載の外壁の目地構造。
【請求項５】
前記凹部は、深さ方向のうち奥側に向かうほど前後方向の幅が短くなるように形成されている
ことを特徴とする請求項１〜４のいずれか一項に記載の外壁の目地構造。
【発明の詳細な説明】
【技術分野】
【０００１】
本発明は、外壁の目地構造に関する。
【背景技術】
【０００２】
特許文献１には、従来の外壁の目地構造が開示されている。この特許文献１記載の目地構造は、複数のパネルが目地を介して並設されている。この目地構造は、湿式の目地材であるシーリング材が目地に充填されており、これにより、目地への浸水を防ぎ、パネルの裏面側への浸水を防ぐことができる。
【先行技術文献】
【特許文献】
【０００３】
【特許文献１】特開２００７−３３２６５５号公報
【発明の概要】
【発明が解決しようとする課題】
【０００４】
ところで、この従来の目地構造において、目地に湿式の目地材を充填するには、目地の表面にプライマー処理を施し、その後、目地の両側をマスキングする等の下準備を行う必要がある。しかも、目地材の充填後には、目地の全長に亙ってヘラなどで目地材を押し込み、その後、マスキングを剥がさなければならない。このように、従来の目地構造では、湿式の目地材が用いられているため、目地材の充填作業が煩雑になるという問題があった。また、従来の目地構造のように湿式の目地材を用いると、上述のように煩雑な作業が必要となるため、一定以上の品質を保つためには、作業者は注意深い作業が必要となる。
【０００５】
また、目地材は、長期間経過すると変色を起こすため、いずれ打ち替えが必要となる。ところが、従来の目地構造のように、目地材として湿式の目地材が用いられた場合には、再び、上述した煩雑な作業を行う必要がある。
【０００６】
本発明は、上記事情に鑑みてなされたものであり、その目的とするところは、防水性を確保しながら、取付作業を容易にすることができる外壁の目地構造を提供することにある。
【課題を解決するための手段】
【０００７】
本発明の外壁の目地構造は、目地を介して並設された複数の外壁材と、前記目地の屋内側の端部を閉塞するように設けられたシール材と、前記目地の屋外側の端部と前記シール材との間に設けられ、大気に連通する等圧空間とを備え、前記目地の屋外側の端部は、該目地の両側の前記外壁材が突き付けられ、または、乾式の目地材が設けられており、前記複数の外壁材として、雄実部を有する第一パネルと、この第一パネルの前記雄実部に凹凸嵌合する雌実部を有する第二パネルとを有し、前記等圧空間は前記雄実部と前記雌実部とで構成され、前記雄実部および前記雌実部の少なくとも一方には、前記等圧空間を形成する凹部が設けられていることを特徴とする。
【発明の効果】
【０００８】
本発明の外壁の目地構造によれば、防水性を保ったままで、施工を容易にすることができる。
【図面の簡単な説明】
【０００９】
【図１】実施形態１に係る外壁の目地構造の部分的に省略した斜視図である。
【図２】実施形態１に係る外壁の目地構造の断面図である。
【図３】実施形態１の変形例に係る外壁の目地構造の断面図である。
【図４】実施形態１の乾式の目地材の他例の要部断面図である。
【図５】実施形態２に係る外壁の目地構造の断面図である。
【図６】（ａ）（ｂ）（ｃ）は、実施形態２の変形例に係る減圧空間の断面図である。
【図７】実施形態２に係る外壁の目地構造の変形例の断面図である。
【発明を実施するための形態】
【００１０】
以下、本発明の実施形態について添付図面に基づいて説明する。
【００１１】
＜実施形態１＞
実施形態１の外壁の目地構造は、図１に示すように、縦張り用の外壁材２を設置した状態における目地Ｍの構造であり、目地Ｍは縦目地で構成されているのが好ましい。本実施形態の外壁の目地構造では、この目地Ｍに乾式の目地材６を嵌め込むように構成することで、作業性の向上を図っている。但し、乾式の目地材６は、湿式の目地材に比べて止水性に劣るので、目地Ｍの深さ方向の途中に等圧空間４を設けて、目地Ｍに水を引き込んでしまうのを抑制し、これにより、外壁における防水性を確保する。
【００１２】
本実施形態の外壁の目地構造は、図１に示すように、壁下地１と、壁下地１に沿って取り付けられた複数の外壁材２とを備えている。なお、以下においては、壁下地１と外壁材２とが並ぶ方向を前後方向として定義し、特に、壁下地１から外壁材２に向かう方向を前方向（前方）として定義する。
【００１３】
壁下地１は、外壁材２の下地となる部分であり、例えば、複数の柱１１や、縦胴縁又は横胴縁などにより構成される。複数の柱１１は、例えば、通し柱１２や間柱１３、管柱を含む。各柱１１の前面は、同一平面上に位置しており、鉛直面を構成する。
【００１４】
複数の外壁材２は、壁下地１の前面に固定される。各外壁材２は、左右方向に幅を、上下方向に長さを有し、いわゆる縦張り用の外壁材である。各外壁材２は、本実により、互いに接続されるものであり、幅方向の一方の端部に設けられた雄実部２５と、他方の端部に設けられた雌実部２９とを備えている。隣り合う外壁材２は、雄実部２５と雌実部２９とを凹凸嵌合することで、互いに連結されている（以下、本実施形態の目地構造の説明においては、例えば図１中の雄実部２５側の外壁材２を第一パネル２１と言い、雌実部２９側の外壁材２を第二パネル２２と言う場合がある）。
【００１５】
各外壁材２は、例えば、窯業系パネル，金属サイディング等により構成される。窯業系パネルは、押し出し成型品，プレキャスト品，ＡＬＣパネル等が例示できる。なお、本実施形態の外壁材２は、押し出し成型品からなる窯業系パネルである。
【００１６】
雄実部２５は、図２に示すように、壁本体２３の幅方向の一方の端面（第一端面２４）から、隣り合う外壁材２側に突出するようにして設けられている。雄実部２５は、外壁材２の長さ方向の全長に亙って設けられている。雄実部２５は、前後方向に離れた一対の角部２６（出隅部）を有する。
【００１７】
雄実部２５の先端面（雄実部２５の突出端面）２５ａには、第一凹部２７が設けられている。第一凹部２７は、雄実部２５の先端面２５ａから該雄実部２５の基端側に凹むように形成されており、一定の深さを有する。第一凹部２７は、断面略半円弧状をなしており、第一凹部２７の深さ方向のうち奥側に向かうほど前後方向の幅が短くなるように形成されている。第一凹部２７は、外壁材２の長さ方向の全長に亙って設けられている。
【００１８】
雌実部２９は、壁本体２３の第一端面２４とは反対側の端面（第二端面２８）に凹むようにして設けられる。雌実部２９は、前後方向に離れた一対の隅部３０（入隅部）を有する。この一対の隅部３０は、それぞれ、外壁材２の並列方向において雄実部２５の各角部２６に対向する。また、雌実部２９の奥面２９ｂには、第二凹部３１が設けられている。この第二凹部３１は、第一凹部２７に対向するように形成されている。第二凹部３１は、雌実部２９の奥面２９ｂから凹むように形成されており、一定の深さを有する。第二凹部３１は、第一凹部２７と同様、断面略半円弧状をなしており、第二凹部３１の深さ方向のうち奥側に向かうほど前後方向の幅が短くなるように形成されている。第二凹部３１は、外壁材２の長さ方向の全長に亙って設けられている。
【００１９】
本実施形態の目地構造は、複数の外壁材２を凹凸嵌合した状態で壁下地１上に並べて設置することで構成される。複数の外壁材２の間には、一定の間隔が設けられている（この一定の間隔を目地という）。目地Ｍは、後述のシール材５や乾式の目地材６が設けられていない状態では、前後方向に通じている。
【００２０】
複数の外壁材２が凹凸嵌合すると、第一凹部２７と第二凹部３１とが対向して、断面略円形状の空間が形成される。この空間は、大気に連通しており、いわゆる等圧空間４を形成する。本実施形態の目地構造は、目地Ｍの屋内側の端部（後側の端部）に設けられたシール材５と、目地Ｍの屋外側の端部（前側の端部）に設けられた乾式の目地材６とを備えている。等圧空間４は、目地Ｍにおいてシール材５と乾式の目地材６との間に設けられている。等圧空間４は、例えば、図１に示すように、乾式の目地材６の一部を取り除いて大気との連通口９を設け、これにより、大気に通じている。なお、連通口９は、外壁の下方のスタータや上方の見切り材に、等圧空間４に通じるように形成されてもよい。
【００２１】
シール材５は、目地Ｍの後側の端部を閉塞するように設けられている。シール材５は、目地Ｍに浸入した水（例えば、雨水の水滴）が、外壁材２の後面側に浸水するのを妨げ、また、等圧空間４から外壁材２の裏面側に向かう空気の移動を妨げる。すなわち、シール材５は、一定の止水性を有し、且つ、等圧空間４を保持可能な程度に気密性を有している。シール材５は、外壁材２の長さ方向の全長に亙って連続して設けられている。シール材５は、例えば、発泡ゴム，天然ゴム，合成ゴム，樹脂材，金属材等の水密材によって構成される。シール材５は、隣り合う一対の外壁材２に、それぞれ、水密的に接触し、これによって止水する。なお、シール材５としては、隣り合う一対の外壁材２に気密的に接触する気密材により構成されてもよい。
【００２２】
本実施形態のシール材５は、一定の硬さを有している。したがって、シール材５は、目地Ｍの後側の端部の間隔を保つことができる。
【００２３】
乾式の目地材６は、目地Ｍの前側の端部に設けられている。乾式の目地材６は、外壁材２の長さ方向の全長に亙って連続して設けられていてもよい。乾式の目地材６は、例えば、シリコン・ウレタン等のゴムや金属，合成樹脂によって構成される。乾式の目地材６は、図２に示すように、目地Ｍ内に嵌め込まれる保持部６１と、目地Ｍを前方から覆う覆い部６２とを備えている。
【００２４】
保持部６１は、段面矢印形状をなし、先端が目地幅方向の両側に向かって膨出しており、弾性変形可能である。保持部６１は、目地Ｍに嵌め込まれると、主に先端部が目地幅方向において圧縮され、目地Ｍ内に保持される。保持部６１は、外壁材２の端面との摩擦力で目地Ｍ内に保持されるものであってもよいし、外壁材２に引っ掛けられて保持されるものであってもよい。
【００２５】
覆い部６２は、保持部６１の屋外側の端部に設けられている。覆い部６２の幅は、目地幅よりも広くなるように形成されている。覆い部６２は、目地Ｍ内に保持部６１が嵌め込まれると、目地Ｍの前面を覆うように構成されている。
【００２６】
目地Ｍの屋外側の端部には、覆い部６２を収容する収容凹部７が設けられている。この収容凹部７は、隣り合う一対の外壁材２に跨って設けられている。収容凹部７は、外壁材２の主面よりも後方に凹没している。これにより、目地Ｍに嵌め込まれた乾式の目地材６は、外壁材２の主面から非突出となる。なお、収容凹部７は、第一パネル２１の端部に形成された第一段部７１と、第二パネル２２の端部に形成された第二段部７２とで構成されている。
【００２７】
目地構造は、第一パネル２１の雄実部２５の前側の角部２６と、雌実部２９の前側の隅部３０との間に設けられた間隔保持材８を備えている。間隔保持材８は、目地Ｍの前側の間隔を保持する。目地Ｍは、間隔保持材８とシール材５とによって、前後方向の全長に亙って一定以上の間隔が保たれている。間隔保持材８は、図１に示すように、複数のスペーサ８１が間隔を置いて配置されることで構成されており、外壁材２の長さ方向の全長に亙って断続的に設けられている。スペーサ８１は、断面略Ｌ字状をなしており、例えば、硬質ゴムや、金属、合成樹脂によって構成される。
【００２８】
このように構成された外壁の目地構造は、降雨して水滴が目地Ｍ近傍に付着した場合でも、外気と連通して大気と同一気圧の等圧空間４が設けられているため、水滴が目地Ｍ内に浸入しにくい。万が一、乾式の目地材６と外壁材２の端面２４，２８との間に毛細管現象が生じる等で水滴が目地Ｍ内に吸い込まれた場合であっても、目地Ｍの後方側の端部にシール材５が設けられているため、水滴が外壁材２の裏面側に回り込むのを防止できる。なお、この場合、目地Ｍに入り込んだ水滴は、乾式の目地材６を伝って下方に流下し排水される。これにより、外壁構造の防水性を確保することができる。
【００２９】
また、本実施形態の外壁の目地構造は、乾式の目地材６を用いているため、湿式の目地材を用いる場合に比べて、目地施工の作業性を大幅に向上できる。この結果、本実施形態の外壁の目地構造によれば、防水性を保ったままで、取付作業を容易にすることができる。
【００３０】
以上、説明したように、本実施形態の外壁の目地構造は、目地Ｍを介して並設された複数の外壁材２と、目地Ｍの屋内側の端部に設けられたシール材５とを備えている。シール材５は、目地Ｍの屋外側の端部を閉塞する。また、外壁の目地構造は、目地Ｍの屋外側の端部とシール材５との間に設けられ、大気に連通する等圧空間４をさらに備える。目地の屋外側の端部は、乾式の目地材が設けられる。
【００３１】
本実施形態の外壁の目地構造は、等圧空間４とシール材５とによって防水性を確保することができ、さらに、乾式の目地材６を用いることで湿式の目地材を用いる場合に比べて、作業性を向上できる。また、乾式の目地材６は、取り付け・取り外しの作業が容易であるため、打ち替えに伴う作業も容易である。この結果、本実施形態の外壁の目地構造によれば、防水性を保ったままで、施工を容易にすることができる。
【００３２】
また、本実施形態のシール材５は、目地Ｍの後側の端部の間隔を保つように構成されている。
【００３３】
このため、本実施形態の外壁の目地構造によれば、目地Ｍの後側の端部の間隔を保つことができ、外壁材２に熱膨張が生じた場合であっても、膨張代を確保することができる。また、シール材５によって目地Ｍの間隔が保たれるため、水（水滴）が目地Ｍに入り込んでも、毛細管現象を生じにくくできる。従って、縦張り用の外壁材２を用いた場合には、浸入した水滴を排水しやすくできる。
【００３４】
また、本実施形態の複数の外壁材２は、本実における雄実部２５を有する第一パネル２１と、この第一パネル２１の前記雄実部２５に凹凸嵌合する本実における雌実部２９を有する第二パネル２２とを含む。等圧空間４は、雄実部２５と、雌実部２９とで構成される。
【００３５】
このため、本実施形態の外壁の目地構造は、目地Ｍを入り組んだ形状とすることができる。このため、外壁材２の裏面側に水（水滴）が回り込むのを一層防止できる。
【００３６】
特に、本実施形態の外壁の目地構造は、等圧空間４が、雄実部２５の先端面２５ａに設けられた第一凹部２７と、雌実部２９の奥面２９ｂにおいて第一凹部２７に対向するよう設けられた第二凹部３１とで構成されている。
【００３７】
このため、本実施形態の外壁の目地構造は、等圧空間４として、目地幅よりも広い空間を設けることができ、より効果的に防水性を発揮することができる。
【００３８】
また、本実施形態の外壁の目地構造は、目地Ｍにおいて、乾式の目地材６と等圧空間４との間に、目地Ｍの間隔を保つ間隔保持材８が設けられる。
【００３９】
このため、本実施形態の外壁の目地構造によれば、目地Ｍの前側の端部の間隔を一定以上に保つことができる。これにより、外壁材２に熱膨張が生じた場合であっても、膨張代を確保することができる。また、目地Ｍの前側に連通口９が設けられている場合には、目地Ｍの前側の端部の間隔を確保することで、等圧空間４と大気との連通状態を確保することができ、従って、防水性の低下を抑制できる。
【００４０】
また、本実施形態の外壁の目地構造は、雄実部２５（例えば、先端面２５ａ）に設けられた凹部（本実施形態では、第一凹部２７のこと）が、深さ方向のうち奥側に向かうほど前後方向の幅が短くなるように形成されている。
【００４１】
このため、本実施形態の外壁の目地構造によれば、雄実部２５の前後両端部にある突出部の基端部を厚くでき、雄実部２５の強度の低下を抑制できる。
【００４２】
本実施形態の第一凹部２７は、断面半円弧状をなしていたが、例えば、図３に示すような形状をしていてもよい。以下、これを変形例という。
【００４３】
この変形例の第一凹部２７ａは、雄実部２５ａの先端面２５ａから、断面略Ｖ字状に凹没し、深さ方向のうち奥側に向かうほど前後方向の幅が短くなるように形成されている。このため、雄実部２５ａの前後両端部にある突出部の基端部を厚くでき、雄実部２５ａの強度の低下を抑制できる。
【００４４】
また、上記実施形態の乾式の目地材６は、保持部６１と覆い部６２とを有する構成であったが、例えば、図４に示すように、断面円環状をしたチューブ状の乾式の目地材６ｂであってもよい。この乾式の目地材６ｂは、中空形状をなしているため、目地Ｍに嵌め込まれると弾性変形して、目地Ｍ内に保持される。
【００４５】
また、本実施形態の外壁の目地構造は、雄実部２５と雌実部２９とによって形成されているが、これに限定されず、例えば、隣り合う一対の外壁材２がこれら雄実部２５および雌実部２９を有していなくてもよい。
【００４６】
また、本実施形態の外壁の目地構造は、雄実部２５の先端面に第一凹部２７が設けられ、これにより、等圧空間４が形成されたが、本発明においては、例えば、雄実部２５の前側の側面に凹部が設けられ、これにより、等圧空間が形成されていてもよい。
【００４７】
＜実施形態２＞
実施形態１の外壁の目地構造は、縦張り用の外壁材２を用いていたが、本実施形態のように外壁材２として、横張り用の外壁材２が用いられてもよい。なお、実施形態２の外壁の目地構造は、実施形態１の目地構造と比較して、外壁材２が縦張り用のものであるか、横張り用のものであるかで異なるが、その他の構成は同じである。このため、以下においては、同様の構造については説明を省略し、主に異なる構造について説明する。
【００４８】
本実施形態の複数の外壁材２は、横張り用の外壁材２であり、上下方向に幅を、左右方向に長さを有する。上下方向に並ぶ外壁材２は、図５に示すように、相じゃくり継ぎにより、互いに接続される。各外壁材２は、外壁材２の上端部に設けられた屋内側凸部３２と、外壁材２の下端部に設けられた屋外側凸部３３とを備えている。上下方向に隣り合う外壁材２は、屋内側凸部３２と屋外側凸部３３とを前後方向に重ね、相じゃくり継ぎをすることで、互いに連結されている。
【００４９】
屋内側凸部３２は、壁本体２３の上端から上方に突出する。屋内側凸部３２は、壁本体２３の上端のうち、屋内側の一部から突出している（壁本体２３の上端のうち、屋内側凸部３２以外の部分を上面部３４という）。屋内側凸部３２は、外壁材２の長さ方向の全長に亙って設けられている。
【００５０】
屋内側凸部３２は、上側の外壁材２の下端面のうちの屋外側端部とシール材５を介して当接する当接面３５と、当接面３５の屋外側端縁から下方に延出した第１の縦面３６と、第１の縦面３６の下端縁から延出し屋外側に向かって下り傾斜した傾斜面３７と、傾斜面３７の下端縁から下方に延出した第２の縦面３８とを備える。当接面３５・第１の縦面３６・傾斜面３７・第２の縦面３８は、上側の外壁材２の下端面との間で目地Ｍの一部を構成する。また、傾斜面３７は、後述の凹面４０とで等圧空間４を形成する。傾斜面３７は、平面状に形成されている。なお、傾斜面３７は、図６（ａ）（ｃ）に示すように、下方に凹んだ弧状に形成されてもよい。
【００５１】
屋外側凸部３３は、図５に示すように、壁本体２３の下端から下方に突出する。屋外側凸部３３は、壁本体２３の下端のうち、屋外側の一部から突出している（壁本体２３の下端のうち、屋外側凸部３３以外の部分を下面部３９という）。屋外側凸部３３は、外壁材２の長さ方向の全長に亙って設けられている。
【００５２】
屋外側凸部３３は、上面部３４と乾式の目地材６を介して対向する凸端面３３０と、下面部３９の屋内側端部に連続した第３の縦面３３１と、第３の縦面３３１の下端に連続し上方に湾曲した凹面４０とを備える。本実施形態の凹面４０は、円弧状に形成されている。なお、凹面４０は、例えば、図６（ｂ）（ｃ）に示すように、Ｌ字状に形成されてもよいし、複数の段状に形成されてもよい。
【００５３】
上下に並ぶ外壁材２が相じゃくり継ぎされると、下側の外壁材２の上端面と、上側の外壁材２の下端面との間に目地Ｍが形成される。目地Ｍは、屋外側の端部が屋内側の端部よりも下方に位置するように構成される。
【００５４】
目地Ｍの屋内側の端部（後側の端部）にはシール材５が設けられる。このシール材５は、目地Ｍの屋内側端部の間隔を保持する。また、目地Ｍの屋外側の端部（前側の端部）には乾式の目地材６が設けられる。目地Ｍにおいて、シール材５と乾式の目地材６との間には、等圧空間４が設けられる。
【００５５】
なお、乾式の目地材６とシール材５は、実施形態１と同じである。また、等圧空間４の機能についても、実施形態１と同じである。
【００５６】
本実施形態の目地Ｍの屋外側端部には、乾式の目地材６が設けられているが、例えば、図７に示すように、屋外側凸部３３が突き付け部６３を有していてもよい。突き付け部６３は、下側の外壁材２の上面部３４に突き付けられる。すなわち、突き付け部６３が下側の外壁材２の上面部３４に突き付けられると、目地Ｍの屋外側の端部が塞がれる。
【００５７】
なお、突き付け部６３が設けられた場合においても、等圧空間４は、例えば、外壁材２の長さ方向の端部に設けられた大気との連通口を介して、大気に通じている。
【００５８】
以上、説明したように、本実施形態の外壁の目地構造は、複数の外壁材２の各々は横張り施工された外壁材である。下側に配置される前記外壁材２の上端面と、上側に配置される外壁材２の下端面との間の目地Ｍは、屋外側の端部が屋内側の端部よりも下方に位置するように構成されている。
【００５９】
このため、本実施形態の外壁の目地構造は、仮に、目地Ｍに浸水した場合であっても、水を排出しやすくでき、水が滞留するのを抑制できる。
【００６０】
また、本実施形態の目地構造は、目地Ｍの下側に配置される外壁材２の上端面における等圧空間４を構成する部位は、屋外側に向かって下側に傾斜する。一方、該上端面における目地Ｍの屋外側の端部を構成する部位は、等圧空間４を構成する部位よりも下側に位置する。
【００６１】
このため、本実施形態の外壁の目地構造は、等圧空間４に浸水した場合であっても、水を排出しやすくでき、水が滞留するのを抑制できる。
【００６２】
また、本実施形態の外壁の目地構造は、目地Ｍの屋外側の端部は、目地Ｍの両側の外壁材２が突き付けられている。
【００６３】
このため、本実施形態の外壁の目地構造は、突き付け部６３で、大部分の雨水が目地Ｍ内に浸入するのを防ぐことができるため、施工を容易にできる。
【００６４】
また、本実施形態の外壁の目地構造は、屋内側凸部３２が縦面（第１の縦面３６または第２の縦面３８）を有しているため、雨水の浸入を堰き止めることができ、より効果的に抑制することができる。
【符号の説明】
【００６５】
１      壁下地
１１    柱
１２    通し柱
１３    間柱
２      外壁材
２１    第一パネル
２２    第二パネル
２３    壁本体
２４    第一端面
２５    雄実部
２５ａ  雄実部の先端面
２６    角部
２７    第一凹部
２８    第二端面
２９    雌実部
２９ｂ  雌実部の奥面
３０    隅部
３１    第二凹部
３７    傾斜面
４      等圧空間
５      シール材
６      乾式の目地材
６１    保持部
６２    覆い部
６３    突き付け部
７      収容凹部
７１    第一段部
７２    第二段部
８      間隔保持材
８１    スペーサ
９      連通口
Ｍ      目地
【図１】
0006010673.tif 000002
【図２】
0006010673.tif 000003
【図３】
0006010673.tif 000004
【図４】
0006010673.tif 000005
【図５】
0006010673.tif 000006
【図６】
0006010673.tif 000007
【図７】
0006010673.tif 000008